(57)【要約】【課題】取得した画像の自動切り替え表示の一時停止が指示された場合に、画像の取得を停止せずに自動切り替え表示を停止させる。【解決手段】画像形成装置１１は、画像読取部１０で順次読み取った画像を表示部６２に順次表示する自動切り替え表示を行い、自動切り替え表示の一時停止が指示された場合は、画像読取部１０による画像の読み取りを停止させずに自動切り替え表示を一時停止させる。【選択図】図１
2018019132.tif 000002
【特許請求の範囲】
【請求項１】
複数の画像を順次取得する取得手段と、
前記取得手段により取得した画像を表示部に順次表示する自動切り替え表示を行う表示手段と、
前記自動切り替え表示の一時停止が指示された場合に、前記取得手段による前記画像の取得を停止させずに前記自動切り替え表示を一時停止させる一時停止手段と、
前記一時停止手段により一時停止された前記自動切り替え表示を再開させる再開手段と、
を備えた表示制御装置。
【請求項２】
前記取得手段は、複数の原稿の画像を順次読み取る読取手段であり、
前記再開手段は、予め定めた再開条件を満たした場合に、前記自動切り替え表示を再開させる
請求項１記載の表示制御装置。
【請求項３】
前記自動切り替え表示を一時停止させた場合に、前記表示部に表示された画像の画像処理の指示を受け付ける受付手段と、
前記受付手段が受け付けた指示に応じて、前記表示部に表示された画像を画像処理する画像処理手段と、
を備えた請求項１又は請求項２記載の表示制御装置。
【請求項４】
前記再開手段は、前記取得手段が取得した最新の画像から前記自動切り替え表示を再開させる
請求項１〜３の何れか１項に記載の表示制御装置。
【請求項５】
前記自動切り替え表示が再開された場合に、前記表示部に表示していない画像を識別する識別手段
を備えた請求項４記載の表示制御装置。
【請求項６】
前記自動切り替え表示を一時停止させた状態で、前記表示部に表示されている画像を手動で切り替える手動切り替え操作が行われた場合、前記表示手段は、前記手動切り替え操作に応じて前記表示部に表示される画像を切り替える手動切り替え表示を実行し、
前記再開手段は、前記自動切り替え表示を再開させる場合、前記表示部に表示されている画像又は前記表示部に表示されている画像の次の画像から前記自動切り替え表示を再開させる
請求項１〜５の何れか１項に記載の表示制御装置。
【請求項７】
前記表示手段は、前記自動切り替え表示が再開された後における前記画像の表示の切替速度を、前記自動切り替え表示が一時停止される前における前記画像の表示の切替速度よりも速くする
請求項１〜６の何れか１項に記載の表示制御装置。
【請求項８】
前記自動切り替え表示が再開された後、前記自動切り替え表示を中止する中止操作が行われた場合、前記表示手段は、前記自動切り替え表示を中止すると共に、前記自動切り替え表示を再開する直前に表示されていた画像を前記表示部に表示させる
請求項１〜７の何れか１項に記載の表示制御装置。
【請求項９】
前記表示手段は、前記自動切り替え表示が再開されてから予め定めた中止条件を満たす場合に、前記中止操作を受け付ける
請求項８記載の表示制御装置。
【請求項１０】
コンピュータを、請求項１〜９の何れか１項に記載の表示制御装置の各手段として機能させるための表示制御プログラム。
【発明の詳細な説明】
【技術分野】
【０００１】
本発明は、表示制御装置及び表示制御プログラムに関する。
【背景技術】
【０００２】
特許文献１には、複数のページよりなる原稿の画像を読み取る画像読取手段と、前記画像読取手段にて原稿の全ページの画像の読み取りを完了する前に、前記画像読取手段にて読み取りを完了したページの画像を読み取り順に表示部にプレビュー表示するリアルタイムプレビュー表示を行う第１のプレビュー表示手段と、前記画像読取手段による画像の読み取りを停止させる読取停止手段と、前記読取停止手段にて停止させた場合に、前記画像読取手段にて最後に読み取りを完了したページの画像を前記表示部にプレビュー表示する第２のプレビュー表示手段と、を備えた画像読取装置が開示されている。
【先行技術文献】
【特許文献】
【０００３】
【特許文献１】特開２０１２−２５７０１３号公報
【発明の概要】
【発明が解決しようとする課題】
【０００４】
本発明は、取得した画像の自動切り替え表示の一時停止が指示された場合に、画像の取得を停止せずに自動切り替え表示を停止させることができる表示制御装置及び表示制御プログラムを提供することを目的とする。
【課題を解決するための手段】
【０００５】
上記目的を達成するために、請求項１記載の発明の表示制御装置は、複数の画像を順次取得する取得手段と、前記取得手段により取得した画像を表示部に順次表示する自動切り替え表示を行う表示手段と、前記自動切り替え表示の一時停止が指示された場合に、前記取得手段による前記画像の取得を停止させずに前記自動切り替え表示を一時停止させる一時停止手段と、前記一時停止手段により一時停止された前記自動切り替え表示を再開させる再開手段と、を備える。
【０００６】
請求項２記載の発明は、前記取得手段は、複数の原稿の画像を順次読み取る読取手段であり、前記再開手段は、予め定めた再開条件を満たした場合に、前記自動切り替え表示を再開させる。
【０００７】
請求項３記載の発明は、前記自動切り替え表示を一時停止させた場合に、前記表示部に表示された画像の画像処理の指示を受け付ける受付手段と、前記受付手段が受け付けた指示に応じて、前記表示部に表示された画像を画像処理する画像処理手段と、を備える。
【０００８】
請求項４記載の発明は、前記再開手段は、前記取得手段が取得した最新の画像から前記自動切り替え表示を再開させる。
【０００９】
請求項５記載の発明は、前記自動切り替え表示が再開された場合に、前記表示部に表示していない画像を識別する識別手段を備える。
【００１０】
請求項６記載の発明は、前記自動切り替え表示を一時停止させた状態で、前記表示部に表示されている画像を手動で切り替える手動切り替え操作が行われた場合、前記表示手段は、前記手動切り替え操作に応じて前記表示部に表示される画像を切り替える手動切り替え表示を実行し、前記再開手段は、前記自動切り替え表示を再開させる場合、前記表示部に表示されている画像又は前記表示部に表示されている画像の次の画像から前記自動切り替え表示を再開させる。
【００１１】
請求項７記載の発明は、前記表示手段は、前記自動切り替え表示が再開された後における前記画像の表示の切替速度を、前記自動切り替え表示が一時停止される前における前記画像の表示の切替速度よりも速くする。
【００１２】
請求項８記載の発明は、前記自動切り替え表示が再開された後、前記自動切り替え表示を中止する中止操作が行われた場合、前記表示手段は、前記自動切り替え表示を中止すると共に、前記自動切り替え表示を再開する直前に表示されていた画像を前記表示部に表示させる。
【００１３】
請求項９記載の発明は、前記表示手段は、前記自動切り替え表示が再開されてから予め定めた中止条件を満たす場合に、前記中止操作を受け付ける。
【００１４】
請求項１０記載の発明の表示制御プログラムは、コンピュータを、請求項１〜９の何れか１項に記載の表示制御装置の各手段として機能させるための表示制御プログラムである。
【発明の効果】
【００１５】
請求項１及び請求項１０記載の発明によれば、取得した画像の自動切り替え表示の一時停止が指示された場合に、画像の取得を停止せずに自動切り替え表示を停止させることができる。
【００１６】
請求項２記載の発明によれば、原稿から読み取った画像の自動切り替え表示の一時停止が指示された場合に、画像の読み取りを停止せずに自動切り替え表示を停止させることができる。
【００１７】
請求項３記載の発明によれば、表示部に表示された画像を見やすくすることができる。
【００１８】
請求項４記載の発明によれば、取得手段が取得した最新の画像を把握することができる。
【００１９】
請求項５記載の発明によれば、自動切り替え表示が再開された場合に、表示部に表示されていない画像を容易に把握することができる。
【００２０】
請求項６記載の発明によれば、自動切り替え表示が再開された場合に、画像を取得した順序で画像を確認することができる。
【００２１】
請求項７記載の発明によれば、画像の取得の進み具合と画像の表示の進み具合との差を小さくすることができる。
【００２２】
請求項８記載の発明によれば、誤って自動切り替え表示を再開させてしまった場合でも元の状態に戻すことができる。
【００２３】
請求項９記載の発明によれば、自動切り替え表示がむやみに中止されるのが抑制される。
【図面の簡単な説明】
【００２４】
【図１】画像形成装置の外観図である。
【図２】画像読取部の構成図である。
【図３】画像形成装置の電気的構成を示すブロック図である。
【図４】表示部に表示される画面の例を示す図である。
【図５】自動スクロールの表示制御処理の流れを示すフローチャートである。
【図６】表示部に表示される画面の例を示す図である。
【図７】表示部に表示される画面の例を示す図である。
【図８】表示部に表示される画面の例を示す図である。
【発明を実施するための形態】
【００２５】
以下、図面を参照して、本発明を実施するための形態を詳細に説明する。
【００２６】
図１には、本実施形態に係る画像形成装置１１の外観図を示した。図１に示すように、画像形成装置１１は、画像読取部１０と、画像形成部８０と、用紙供給部８２と、用紙排出部８４とを含んで構成されている。
【００２７】
図２に示すように、画像読取部１０は、裏面画像読取部２８を含む原稿搬送部１２（ＤＡＤＦ：Dual Auto Document Feeder）と表面画像読取部１４とを備えている。
【００２８】
原稿搬送部１２は、画像が記録された原稿１８が置かれる原稿台２０と、原稿台２０に置かれた原稿１８を一枚ずつ取り出す取り出しロール２２と、複数の搬送ロール対２６を備えた搬送路２４と、裏面画像読取部２８と、裏面画像読取部２８に対向配置された基準板４６と、読取処理が終了した原稿が排出される排紙部３０とを含んで構成されている。
【００２９】
裏面画像読取部２８は、原稿１８及び基準板４６に対して照明光を照射する主走査方向に沿って配列された複数の発光素子を備えた光源２８Ｂと、光源２８Ｂにより照明された原稿１８及び基準板４６を複数の画素に分割して測光し、画素毎に測光した画素値に応じた読取データを出力するラインセンサ２８Ａとを含んで構成された固定密着型のイメージセンサである。また、裏面画像読取部２８は、図示しないロッドレンズアレイを備えており、原稿１８または基準板４６で反射した光がロッドレンズアレイを介してラインセンサ２８Ａで測光される。基準板４６は、シェーディング補正を行う場合にラインセンサ２８Ａにより読み取られる基準板で、例えば、白色の樹脂板または白色に塗装された金属板等が用いられる。
【００３０】
一方、表面画像読取部１４は、上面に原稿１８を置くことが可能とされている透明なプラテンガラス３２を備えている。プラテンガラス３２の下側には、原稿１８の表面に向けて照明光を照射する光源３４と、原稿１８の表面で反射した反射光を受ける第１反射ミラー３６、第１反射ミラー３６で受けた反射光の進行方向を９０°曲げるための第２反射ミラー３８、第２反射ミラー３８で受けた反射光の進行方向をさらに９０°曲げるための第３反射ミラー４０とが備えられている。
【００３１】
なお、光源３４は、例えば蛍光ランプ又は原稿１８の搬送方向と交差する方向に沿って配列された複数のＬＥＤ（Light Emitting Diode）等が適用される。
【００３２】
また、表面画像読取部１４は、レンズ４２と、複数の画素を備えた光電変換部４４とを備えており、表面画像読取部１４は、第３反射ミラー４０で反射された反射光を、レンズ４２によって光電変換部４４に結像させることで、原稿１８の表面を読み取る。
【００３３】
光電変換部４４は、例えば複数のＣＣＤ（Charge Coupled Device）で構成されるＣＣＤラインセンサ又はＣＭＯＳ（Complementary Metal-Oxide Semiconductor）イメージセンサ等の固体撮像素子が適用される。
【００３４】
このように構成された画像読取部１０によれば、原稿台２０に置かれた原稿１８は、一枚ずつ取り出しロール２２で取り出され、搬送路２４へ送られる。搬送路２４へ送られた原稿１８は、搬送ロール対２６によって表面画像読取部１４の表面読取位置まで搬送され、表面を表面画像読取部１４で読み取られる。その後、原稿１８は、表面読取位置よりも搬送方向下流側に設置されている裏面画像読取部２８に搬送され、原稿１８の両面を読み取る設定となっていた場合は、裏面を裏面画像読取部２８で読み取られた後、排紙部３０に排紙される。
【００３５】
また、画像読取部１０は、光源３４、第１反射ミラー３６、第２反射ミラー３８、及び第３反射ミラー４０が図１の矢印Ａ方向に移動可能とされている。これにより、原稿搬送部１２が表面画像読取部１４の上方へ開けられ、プラテンガラス３２の上面に原稿１８が置かれた場合は、光源３４から照明光を原稿１８に向けて照射しつつ、矢印Ａ方向へ光源３４、第１反射ミラー３６、第２反射ミラー３８、及び第３反射ミラー４０を移動させることで、上記原稿１８に記録された画像が読み取られる。なお、画像読取部１０は、本発明に係る取得手段及び読取手段の一例である。
【００３６】
画像形成部８０は、電子写真方式によって原稿画像を用紙に印刷するものであり、無端状の中間転写ベルトと、中間転写ベルトに各色（Ｙ：イエロー、Ｍ：マゼンタ、Ｃ：シアン、Ｋ：ブラック）のトナー画像を転写する画像形成ユニットと、画像情報に基づいて変調されたレーザ光で画像形成ユニットの感光体ドラムを露光することにより感光体ドラム上に静電潜像を形成する光学部とを備えている。
【００３７】
画像形成ユニットは、感光体ドラムと、感光体ドラムの表面を一様に帯電する帯電器と、感光体ドラムの表面に光学部によって形成された静電潜像を各色のトナーで現像したトナー画像を形成する現像部と、中間転写ベルトを感光体ドラムに押し付ける転写ローラとを有している。中間転写ベルトは、モータに連結された駆動ローラによって駆動される。
【００３８】
また、画像形成部８０は、中間転写ベルト上に形成されたトナー画像を用紙供給部８２から給紙された用紙に転写する転写部と、用紙に転写されたトナー画像を用紙上に定着させる定着部と、定着部を通過した用紙を用紙排出部８４に排出する排出ローラとを備えている。
【００３９】
用紙供給部８２は、向き、大きさ、紙質等の異なる用紙をそれぞれ収容する複数の用紙カセットと、各用紙カセットから用紙を取り出し、画像形成部８０の転写部へ搬送するための複数のローラとを備える。
【００４０】
このように構成された画像形成装置１１によれば、画像読取部１０で原稿を読み取り、読み取ったデータに基づいて、画像形成部８０において、用紙供給部８２から給紙された用紙に画像が形成される。
【００４１】
図３には、本実施形態に係る画像形成装置１１のブロック図を示した。図３に示すように、画像形成装置１１は、コンピュータ５０を含んで構成されている。
【００４２】
コンピュータ５０は、ＣＰＵ（Ｃｅｎｔｒａｌ  Ｐｒｏｃｅｓｓｉｎｇ  Ｕｎｉｔ）５０Ａ、ＲＯＭ（Ｒｅａｄ  Ｏｎｌｙ  Ｍｅｍｏｒｙ）５０Ｂ、ＲＡＭ（Ｒａｎｄｏｍ  Ａｃｃｅｓｓ  Ｍｅｍｏｒｙ）５０Ｃ、不揮発性メモリ５０Ｄ、及び入出力インターフェース（Ｉ／Ｏ）５０Ｅがバス５０Ｆを介して各々接続された構成となっている。なお、ＣＰＵ５０は、本発明に係る表示手段、一時停止手段、再開手段、及び識別手段の一例である。
【００４３】
Ｉ／Ｏ５０Ｅには、操作部６０、表示部６２、画像読取部１０、画像形成部８０、用紙供給部８２、用紙排出部８４、ネットワーク通信インターフェース（Ｉ／Ｆ）８６、電話回線インターフェース（Ｉ／Ｆ）８８、及びハードディスク９０等の各機能部が接続されている。
【００４４】
操作部６０は、例えばコピー開始等を指示するためのスタートボタンやテンキー等の各種ボタンを含む。
【００４５】
表示部６２は、コピー濃度等の各種の画像形成条件を設定するための設定画面や後述するプレビュー画像を確認するための確認画面等の各種画面を表示する。なお、本実施形態では、表示部６２は、各種画面において指で触れることにより各種操作が可能なタッチパネルにより構成される。
【００４６】
ネットワーク通信Ｉ／Ｆ８６は、ネットワークを介して外部装置とデータ通信を行うためのインターフェースである。
【００４７】
電話回線通信Ｉ／Ｆ８８は、図示しない電話回線を介して接続された他の画像形成装置とファクシミリ通信を行うためのインターフェースである。
【００４８】
ハードディスク９０は、例えば装置の各部の状態や稼働状況等のログデータ、コピーやファクシミリ通信、プリント等の処理結果のログデータ、各種の設定データ、後述する表示制御プログラム等が記憶される。
【００４９】
ところで、本実施形態に係る画像形成装置１１では、原稿台２０に複数枚の原稿をセットして読み取りを指示した場合、画像読取部１０で順次読み取られた原稿の画像からプレビュー画像を生成し、順次表示部６２に表示する自動スクロール（自動切り替え表示）が実行される。
【００５０】
図４には、自動スクロールの一例を示した。図４の例では、１〜５ページ目までプレビュー画像が生成され、最新の５ページ目のプレビュー画像ＰＶ５が表示部６２の中央に表示され、その１ページ前の４ページ目のプレビュー画像ＰＶ４がプレビュー画像ＰＶ５の左隣、すなわち表示部６２の左端に表示されている。また、プレビュー画像ＰＶ５の右隣、すなわち表示部６２の右端には、未だ生成されていない６ページ目のプレビュー画像ＰＶ６がグレーアウトされた状態で表示されている。そして、原稿の読み取りが進んでプレビュー画像が生成されると、図４において矢印Ｂ方向にプレビュー画像が移動する。すなわち、４ページ目のプレビュー画像ＰＶ４が表示部６２から消え、５ページ目のプレビュー画像ＰＶ５が表示部６２の左端に移動して表示され、６ページ目のプレビュー画像ＰＶ６が表示部６２の中央に移動して表示される。また、７ページ目のプレビュー画像は未だ生成されていないため、グレーアウトされた状態で表示部６２の右端に表示される。
【００５１】
次に、本実施形態の作用として、ＣＰＵ５０で実行される自動スクロールの表示制御処理について、図５に示すフローチャートを参照して説明する。なお、図５に示す表示制御処理は、ユーザーにより原稿が原稿台２０にセットされて原稿の読み取りが指示されると実行される。
【００５２】
ステップＳ１００では、画像読取部１０に原稿の読み取りを指示する。これにより、原稿の読み取りが開始される。
【００５３】
ステップＳ１０２では、プレビュー画像の自動スクロールを開始する。すなわち、画像読取部１０で読み取られた原稿の画像を順次取得し、取得した画像のプレビュー画像を生成して表示部６２に順次表示させる自動スクロールを開始する。この自動スクロールは、図５の表示制御処理と並行して実行される。
【００５４】
ステップＳ１０４では、自動スクロールを停止させる停止操作が有ったか否かを判定する。ユーザーは、自動スクロールを停止させたい場合は、例えば表示部６２に表示中のプレビュー画像をタップ（１回押下）したり、操作部６０の停止ボタン又は表示部６２に表示された停止ボタンを押下したりすることにより、自動スクロールの停止を指示する。
【００５５】
そして、自動スクロールの停止操作が有った場合は、ステップＳ１０６へ移行し、自動スクロールの停止操作が無かった場合はステップＳ１２４へ移行する。
【００５６】
ステップＳ１０６では、自動スクロールを一時停止させる。これにより、停止操作を行ったときに生成されているプレビュー画像のうち最新のプレビュー画像が表示部６２の中央に表示された状態となる。なお、自動スクロールを一時停止させても、画像読取部１０による原稿の読み取りは停止させない。
【００５７】
ステップＳ１０８では、表示部６２に表示されているプレビュー画像の処理を指示する操作を受け付けたか否かを判定する。そして、処理を指示する操作を受け付けた場合はステップＳ１１０へ移行し、処理を指示する操作を受け付けていない場合はステップＳ１１２へ移行する。
【００５８】
ステップＳ１１０では、受け付けた操作に応じた処理を実行する。例えば、受け付けた操作がプレビュー画像を手動でスクロールする処理を指示する操作（手動切り替え操作）であった場合は、表示部６２に表示されているプレビュー画像を操作に応じてスクロールさせる。例えば、図６に示すように、ユーザーが人差し指Ｆで表示部６２にタッチして矢印Ｂ方向にフリック操作（指先を素早く払う）をした場合又はスワイプ操作（指先をスライドさせる）をした場合は、プレビュー画像を矢印Ｂ方向にスクロールさせる。これにより、例えば図７に示すように表示部６２に表示されるプレビュー画像のページが先に進む。また、矢印Ｂ方向と反対方向にフリック操作又はスワイプ操作した場合は、矢印Ｂ方向と反対方向にプレビュー画像をスクロールさせる。これにより、表示部６２に表示されるプレビュー画像のページが前に戻る。
【００５９】
また、受け付けた指示がプレビュー画像の拡大表示させる画像処理の指示であった場合は、指示されたプレビュー画像を拡大して表示する。例えば、図６の状態でプレビュー画像ＰＶ５上に親指と人差し指を乗せてピンチアウト操作（２本の指の間隔を広げる）をした場合は、図８に示すように、プレビュー画像ＰＶ５を拡大して表示する。そして、図８の状態でプレビュー画像ＰＶ５上に親指と人差し指を乗せてピンチイン操作（２本の指の間隔を狭める）をした場合は、図６の表示に戻る。
【００６０】
ステップＳ１１２では、自動スクロールを再開させるための予め定めた再開条件を満たすか否かを判定する。ここで、再開条件とは、例えばユーザーが予め定めた操作をした場合、最後にユーザーが操作してから一定時間経過した場合等である。なお、予め定めた操作とは、例えば、ユーザーが自動スクロールさせたい方向へ手動スクロールの場合と比較して強めに表示部６２を押下してフリック操作をした場合、長押ししてからフリック操作をした場合、ユーザーが専用の再開ボタンを押下した場合等である。
【００６１】
そして、再開条件を満たした場合はステップＳ１１４へ移行し、再開条件を満たしていない場合はステップＳ１０８へ戻る。
【００６２】
ステップＳ１１４では、自動スクロールを再開する再開ページを設定する。具体的には、例えば現時点で画像読取部１０が読み取っている最新の原稿の画像を再開ページとして設定する。例えば、現時点で表示部６２の中央に表示しているプレビュー画像が図６に示すように５ページ目のプレビュー画像ＰＶ５であり、画像読取部１０が読み取っている最新の原稿が１３ページ目である場合、再開ページは１３ページ目となる。このため、次のステップＳ１１６で自動スクロールが再開されると、図７に示すように１３ページ目のプレビュー画像ＰＶ１３が表示部６２の中央に表示された状態から自動スクロールが開始される。
【００６３】
また、現時点で表示部６２に表示されているプレビュー画像又は次のページのプレビュー画像を再開ページとして設定してもよい。例えば、現時点で表示部６２の中央に表示しているプレビュー画像が図６に示すように５ページ目のプレビュー画像ＰＶ５の場合、再開ページは５ページ目又は６ページ目に設定され、ステップＳ１１６で自動スクロールが再開されると、５ページ目のプレビュー画像ＰＶ５又は６ページ目のプレビュー画像ＰＶ６が表示部６２の中央に表示された状態から自動スクロールが開始される。
【００６４】
ステップＳ１１６では、ステップＳ１１４で設定した再開ページから自動スクロールを再開させる。この場合、再開ページまで一気にプレビュー画像をスクロールさせてから自動スクロールを再開してもよい。
【００６５】
また、自動スクロールが再開された後におけるプレビュー画像の表示の切替速度（プレビュー画像１枚当たりの表示時間）を、画像読取部１０による原稿の読み取り速度（原稿１枚当たりの読み取り時間）よりも速くするようにしてもよい。
【００６６】
また、ステップＳ１１４で設定した再開ページと、自動スクロールが一時停止される直前に表示部６２に表示していたプレビュー画像のページと、のページ差に応じて、自動スクロールが再開された後におけるプレビュー画像の表示の切替速度を設定してもよい。例えばページ差が大きくなるに従って切替速度を速くし、ページ差が小さくなるに従って切替速度を遅くするようにしてもよい。
【００６７】
これにより、原稿の読み取りの進み具合とプレビュー画像の表示の進み具合との差が小さくなる。
【００６８】
また、自動スクロールを再開すると、再開直前に表示部６２に表示していたプレビュー画像の次のページのプレビュー画像から、ステップＳ１１４で設定した再開ページの１ページ前のプレビュー画像までは、表示部６２への表示がスキップされてしまう。そこで、再開した自動スクロールでスキップされ、表示していないプレビュー画像であることを識別するための識別情報をプレビュー画像に付与するようにしてもよい。そして、例えば自動スクロールを停止させて手動スクロールさせた場合に、再開した自動スクロールで表示していないプレビュー画像を表示する場合には、そのプレビュー画像については識別マークを表示する。これにより、再開した自動スクロールで表示していないプレビュー画像であることが認識される。
【００６９】
ステップＳ１１８では、再開した自動スクロールを中止するための中止操作が行われたか否かを判定する。そして、中止操作が行われた場合はステップＳ１２０へ移行し、中止操作が行われていない場合はステップＳ１２４へ移行する。
【００７０】
ステップＳ１２０では、再開した自動スクロールを中止するための中止条件を満たすか否かを判定する。ここで、中止条件は、例えば自動スクロールが再開してからの経過時間が予め定めた時間以内である場合としてもよいし、自動スクロールが再開してから表示部６２に表示させたプレビュー画像の数が予め定めた数以内である場合としてもよい。
【００７１】
そして、中止条件を満たす場合はステップＳ１２２へ移行し、中止条件を満たさない場合はステップＳ１２４へ移行する。
【００７２】
ステップＳ１２２では、自動スクロールの再開を中止させ、自動スクロールを再開する直前に表示部６２に表示していたページのプレビュー画像を表示部６２に表示させる。このように、例えばユーザーが誤って自動スクロールを再開させてしまった場合でも、中止操作を行い、中止条件を満たす場合は、自動スクロールが再開される直前の状態に戻される。
【００７３】
ステップＳ１２４では、読み取った原稿の最終ページのプレビュー画像を表示部６２に表示したか否か、すなわち、自動スクロールが最終ページまで到達したか否かを判定する。そして、自動スクロールが最終ページまで到達した場合は本ルーチンを終了する。一方、自動スクロールが最終ページまで到達していない場合は、ステップＳ１０４へ戻って上記の処理を繰り返す。
【００７４】
このように、本実施形態では、画像読取部１０により読み取られた画像の自動スクロールの一時停止が指示された場合でも、画像読取部１０による画像の読み取りは停止せずに、自動スクロールのみ停止させる。これにより、画像の読み取りの生産性が低下するのが抑制される。なお、ユーザーが自動スクロールの一時停止を指示するために、明示的に「一時停止」を指示するための一時停止ボタン等を設けることは必須ではない。すなわち、自動スクロールの一時停止とは、何らかの指示によって自動スクロールの停止の指示が行われた場合に自動スクロールが一時停止され、その後に自動スクロールを再開することができればよい。
【００７５】
なお、本実施形態では、画像読取部１０により原稿の画像を読み取る場合について説明したが、例えばサーバから写真等の画像を順次ダウンロードし、ダウンロードした画像のプレビュー画像を順次ディスプレイに表示させる場合にも本発明は適用される。
【００７６】
また、本実施形態では、電子写真方式の画像形成部を採用した画像形成装置について説明したが、インクジェット方式の画像形成装置にも、本発明を適用可能である。
【００７７】
また、上記実施の形態では、自動スクロールの表示制御プログラムがハードディスク９０に予めインストールされている場合について説明したが、本発明はこれに限定されるものではない。例えば、表示制御プログラムが、ＣＤ−ＲＯＭ（Compact Disk Read Only Memory）等の記憶媒体に格納されて提供される形態、又はネットワークを介して提供される形態としてもよい。
【００７８】
その他、上記実施の形態で説明した画像形成装置１１の構成（図１〜３参照。）は一例であり、本発明の主旨を逸脱しない範囲内において不要な部分を削除したり、新たな部分を追加したりしてもよいことは言うまでもない。
【００７９】
また、上記実施の形態で説明した表示制御プログラムの処理の流れ（図５参照）も一例であり、本発明の主旨を逸脱しない範囲内において不要なステップを削除したり、新たなステップを追加したり、処理順序を入れ替えたりしてもよいことは言うまでもない。
【符号の説明】
【００８０】
１０   画像読取部
１１   画像形成装置
１２   原稿搬送部
１８   原稿
２０   原稿台
５０   コンピュータ
６０   操作部
６２   表示部
８０   画像形成部
８２   用紙供給部
８４   用紙排出部
９０   ハードディスク
【図１】
2018019132.tif 000003
【図２】
2018019132.tif 000004
【図３】
2018019132.tif 000005
【図４】
2018019132.tif 000006
【図５】
2018019132.tif 000007
【図６】
2018019132.tif 000008
【図７】
2018019132.tif 000009
【図８】
2018019132.tif 000010